(57)【要約】【課題】外枠の剛性を高めることができ、かつ、リサイクルをすることができる外枠を実現する。【解決手段】外枠２０を構成する右側板２１はアルミニウムにより形成されている。右側板２１の外側の板面２１ａには、リブ２１ｃが上下方向に形成されており、内側の板面２１ｑには、リブ２１ｋ，２１ｍが上下方向に形成されている。また、リブ２１ｋから前方へ間隔を置いた箇所には、突出部２１ｊが上下方向に形成されており、突出部２１ｊの前面２１ｊ１は遊技盤５の右側端５ａの後面５ｄと当接している。【選択図】図５
2013042892.tif 000002
【特許請求の範囲】
【請求項１】
パチンコ機をパチンコホールの所定箇所に設置するための枠状の外枠において、
板面に上下方向に形成された複数のリブと、内側の板面において上端から下端に亘って突出した突出部とを有し、金属または合成樹脂により形成された側板を両側に備えることを特徴とする外枠。
【請求項２】
前記突出部の前面が、前記パチンコ機に備えられた遊技盤の側端の後面と重なるように配置されていることを特徴とする請求項１に記載の外枠。
【請求項３】
前記突出部の後面が、前記パチンコ機に備えられた遊技盤の側端の前面と重なるように配置されていることを特徴とする請求項１に記載の外枠。
【発明の詳細な説明】
【技術分野】
【０００１】
この発明は、パチンコ機をパチンコホールの所定個所に設置するための外枠に関する。
【背景技術】
【０００２】
図９は、従来のパチンコ機１を斜め前方から見た斜視図であり、図１０は、図９に示すパチンコ機１を斜め後方から見た斜視図である。
従来のパチンコ機１は、パチンコ機１をパチンコホールの島設備に取付けるための外枠８を備える。外枠８は、枠状に構成されており、上部に配置された天板８ａと、底部に配置された底板８ｂと、天板８ａおよび底板８ｂの各右端間を連結する右側板８ｃと、天板８ａおよび底板８ｂの各左端間を連結する左側板８ｄと、右側板８ｃおよび左側板８ｄの各前面下端間を連結する幕板８ｅとを備える。天板８ａ、底板８ｂ、右側板８ｃ、左側板８ｄおよび幕板８ｅは、それぞれ木製で板状に形成されている。
【０００３】
外枠８の左上角であって天板８ａの左端と左側板８ｄの上端との連結部には、金属製の蝶番１５が取付けられている。蝶番１５の前端寄りの部分には、前枠セット２がヒンジ軸１６を介して回動可能に軸支されている。前枠セット２には遊技盤５が設けられており、遊技盤５は、前枠セット２の開口部に設けられたガラス３によって覆われている。遊技盤５には、図示しない入賞口、始動口、普通電動役物および変動入賞装置などが設けられており、盤面には遊技球の流下経路を変化させる多数の遊技釘が打ち込まれている。
【０００４】
前枠セット２の右下には、遊技球を遊技盤５へ発射する発射装置を操作するための発射ハンドル４が設けられており、発射ハンドル４には、発射装置の発射強度を調節するための発射レバー４ａが回動可能に設けられている。ガラス３の下方の前枠セット２には、排出口６ｂから排出される賞球および貸球を貯留する上受け皿６が設けられている。上受け皿６には、上受け皿６に貯留されている遊技球を下受け皿７へ排出させるために操作する球抜きレバー６ａと、貸球の払出しを行わせるために操作する貸出ボタン６ｃと、パチンコ機１に併設されたプリペイド記録媒体読取装置（図示せず）に挿入されているプリペイド記録媒体を返却させるために操作する返却ボタン６ｄと、プリペイド記録媒体に記録されている残り度数（残高）を表示する度数表示部６ｅとが設けられている。
【０００５】
上受け皿６の下方には、上受け皿６から流下した遊技球を貯留する下受け皿７が設けられている。下受け皿７の底部には遊技球を排出するための球抜き孔７ｂが開閉可能に形成されており、下受け皿７の前端には、球抜き孔７ｂを開閉させる球抜きレバー７ａがスライド可能に設けられている。また、前枠セット２には、払出すべき遊技球が無いことを報知する球切れＬＥＤ１３と、遊技球の払出しの異常を報知する払出異常ＬＥＤ１４と、効果音を発生する右スピーカ１０と、左スピーカ１１と、下スピーカ１２とが設けられている。
【０００６】
図１０に示すように、パチンコ機１の裏面には裏セット４０が設けられている。裏セット４０の上部には、パチンコ機１が設置された島設備から供給される遊技球を貯留するための球タンク４１が設けられている。球タンク４１の下方にはカバー４２が設けられており、そのカバー４２の内部には、主制御基板が収容された主制御基板ケース（図示せず）などが設けられている。主制御基板には、入賞の検出、大当りかハズレかの判定などを行うマイクロコンピュータが搭載されている。
【０００７】
カバー４２の右方には、賞球を払出す賞球払出装置４５が設けられている。カバー４２の下方には、発射装置を制御する発射制御基板が収容された発射制御基板ケース（図示せず）４３と、賞球払出装置４５を制御する払出制御基板が収容された払出制御基板ケース４４とが設けられている。また、裏セット４０には、パチンコ機１にＡＣ２４Ｖを供給するための電源プラグ４６が接続されている。前枠セット２および裏セット４０は、外枠８に支持されている。
【先行技術文献】
【特許文献】
【０００８】
【特許文献１】特開２００８−０４３６３９号公報（第３２〜３４段落、図１）
【発明の概要】
【発明が解決しようとする課題】
【０００９】
しかし、前述した従来の外枠８は木製で板状の部材を組み付けて構成されているため、剛性が低いという問題がある。
したがって、従来の外枠８は、最近のパチンコ機の重量化に伴い、歪みやすいので、外枠８と遊技盤５との間に隙間が生じやすい。
たとえば、図１１は、図１０に示すパチンコ機１の右側板８ｃと遊技盤５との配置関係を示す斜視図であるが、図示のように、右側板８ｃと遊技盤５の右端との間に隙間Ｓが生じる。このような隙間Ｓが生じると、その隙間Ｓからワイヤーを挿入して強制的に賞球を払出させる不正行為が起きるおそれがある。たとえば、大当りの発生時に開閉作動する変動入賞装置の開閉部材を、挿入したワイヤーによって開放させ、大入賞口を強制的に開口させるという不正行為が起きるおそれがある。
【００１０】
さらに、従来の外枠８は木製であるため、パチンコ機１の機種が変わって外枠８が適合しなくなった場合にリサイクルすることができないという問題もある。
【００１１】
そこで、この発明は、上記の諸問題を解決するために創作されたものであり、外枠の剛性を高めることができ、かつ、リサイクルをすることができる外枠を実現することを目的とする。
【課題を解決するための手段】
【００１２】
上記の目的を達成するため、この出願の請求項１に係る発明では、パチンコ機（１）をパチンコホールの所定個所に設置するための枠状の外枠（２０）において、板面（２１ａ，２１ｑ，２２ａ，２２ｑ）に上下方向に形成された複数のリブ（２１ｃ，２１ｋ，２１ｍ，２２ｃ，２２ｋ，２２ｍ）と、内側の板面（２１ｑ，２２ｑ）において上端から下端に亘って突出した突出部（２１ｊ，２２ｊ）とを有し、金属または合成樹脂により形成された側板（２１，２２）を両側に備えるという技術的手段を用いる。
【００１３】
請求項２に係る発明では、請求項１に記載の外枠（２０）において、前記突出部（２１ｊ，２２ｊ）の前面（２１ｊ１，２２ｊ１）が、前記パチンコ機（１）に備えられた遊技盤（５）の側端（５ａ，５ｂ）の後面（５ｄ）と重なるように配置されているという技術的手段を用いる。
【００１４】
請求項３に係る発明では、請求項１に記載の外枠（２０）において、前記突出部（２１ｊ，２２ｊ）の後面（２１ｊ２，２２ｊ２）が、前記パチンコ機（１）に備えられた遊技盤（５）の側端（５ａ，５ｂ）の前面（５ｃ）と重なるように配置されているという技術的手段を用いる。
【００１５】
なお、上記各括弧内の符号は、後述する実施形態に記載の具体的手段との対応関係を示すものである。
【発明の効果】
【００１６】
（請求項１に係る発明の効果）
請求項１に係る発明の外枠を実施すれば、板面に上下方向に形成された複数のリブと、内側の板面において上端から下端に亘って突出した突出部とを有する側板を両側に備えるため、外枠の剛性を高めることができる。
したがって、外枠とパチンコ機との間に隙間が発生し難いため、その隙間からワイヤーを挿入して強制的に賞球を払出させる不正行為が起き難い。
さらに、両側に備えられた側板は金属または合成樹脂により形成されているため、側板をリサイクルすることができる。
【００１７】
（請求項２に係る発明の効果）
請求項２に係る発明の外枠を実施すれば、突出部の前面が、パチンコ機に備えられた遊技盤の側端の後面と重なるように配置されているため、側板の端部と遊技盤の端部との間に隙間が形成されないので、その隙間からワイヤーを挿入して強制的に賞球を払出させる不正行為が起きるおそれがない。
【００１８】
（請求項３に係る発明の効果）
請求項３に係る発明の外枠を実施すれば、突出部の後面が、パチンコ機に備えられた遊技盤の側端の前面と重なるように配置されているため、側板の端部と遊技盤の端部との間に隙間が形成されないので、その隙間からワイヤーを挿入して強制的に賞球を払出させる不正行為が起きるおそれがない。
【図面の簡単な説明】
【００１９】
【図１】この発明の実施形態に係る外枠２０の正面図である。
【図２】図１に示す外枠２０の上方右角部を拡大して示す斜視図である。
【図３】図１に示す外枠２０を構成する右側板２１の上部を拡大して示す斜視図である。
【図４】図１に示す外枠２０を構成する左側板２２の上部を拡大して示す斜視図である。
【図５】図３に示す右側板２１に遊技盤５の右端が当接した状態を示す斜視図である。
【図６】図４に示す左側板２２に遊技盤５の左端が当接した状態を示す斜視図である。
【図７】第２実施形態における右側板２１の上部を拡大して示す斜視図である。
【図８】第２実施形態における左側板２２の上部を拡大して示す斜視図である。
【図９】従来のパチンコ機１を斜め前方から見た斜視図である。
【図１０】図９に示すパチンコ機１を斜め後方から見た斜視図である。
【図１１】図１０に示すパチンコ機１の右側板８ｃと遊技盤５との配置関係を示す斜視図である。
【発明を実施するための形態】
【００２０】
［第１実施形態］
この発明の実施形態に係る外枠について図を参照して説明する。図１は、この実施形態に係る外枠２０の正面図である。図２は図１に示す外枠２０の上方右角部を拡大して示す斜視図である。図３は図１に示す外枠２０を構成する右側板２１の上部を拡大して示す斜視図である。図４は図１に示す外枠２０を構成する左側板２２の上部を拡大して示す斜視図である。なお、この実施形態に係る外枠に取付けるパチンコ機は、前述した従来のパチンコ機１と同じであるため、同じ符号を用いる。
【００２１】
図１に示すように、この実施形態に係る外枠２０は枠状に構成されており、上部に配置された天板２３と、底部に配置された底板２４と、天板２３および底板２４の各右端間を連結する右側板２１と、天板２３および底板２４の各左端間を連結する左側板２２と、右側板２１および左側板２２の各前面の下端間を連結する幕板２５および補強部材２８とを備える。この実施形態では、天板２３、底板２４および幕板２５は、それぞれ木製で板状に形成されており、右側板２１および左側板２２および補強部材２８は、それぞれアルミニウムにより形成されている。
【００２２】
図２に示すように、天板２３の右端と右側板２１の上端とは、連結金具３１によって連結されている。連結金具３１は、板状の金属製部材をＬ字型に屈曲させた形状に形成されており、その屈曲させた一方の屈曲片３１ａが天板２３の上面２３ａに当接し、他方の屈曲片３１ｂが右側板２１の外側の板面２１ａに当接している。連結金具３１は、ビス３３によって天板２３および右側板２１に固定されている。天板２３の後端には、切欠部２３ｂが形成されている。
【００２３】
天板２３の左端と左側板２２の上端とは、金属製の上蝶番２９によって連結されている。上蝶番２９は、蝶番と連結金具とを兼用している。底板２４および幕板２５の各左端と左側板２２の下端とは、Ｌ字型の連結金具３０によって連結されている。幕板２５の左端の上面には、金属製の下蝶番３４が固定されている。底板２４および幕板２５の各右端と右側板２１の下端とは、Ｌ字型の連結金具３２によって連結されている。パチンコ機１の左上角および左下角は、ヒンジ（図示省略）を介して上蝶番２９および下蝶番３４に回動可能に軸支される。右側板２１の前面の上下には、パチンコ機１の裏面に設けられた係止爪（図示省略）を係止するための鍵受け金具２６，２７が取付けられている。
【００２４】
図３に示すように、右側板２１の外側の板面２１ａであってその後部には、溝２１ｈが上下方向に形成されている。この溝２１ｈにより、外側の後端に凸状のリブ２１ｃが上下方向に形成されている。リブ２１ｃは、溝２１ｈの上端２１ｉから下端に亘って形成されている。内側の板面２１ｑであってその後端には、板状のリブ２１ｍが上下方向に形成されており、そのリブ２１ｍから前方に間隔を置いて板状のリブ２１ｋが上下方向に形成されている。リブ２１ｍ，２１ｋは、それぞれ内側の上端２１ｄから下端に亘って形成されている。また、リブ２１ｍ，２１ｋは平行に配置されており、それらの先端間は、板状部２１ｎによって連結されている。リブ２１ｍ，２１ｋおよび板状部２１ｎによって囲まれた部分には、空間２１ｐが形成されている。
【００２５】
上述したように、右側板２１の外側には、リブ２１ｃが上下方向に形成されており、かつ、内側には、リブ２１ｋ，２１ｍが上下方向に形成されているため、外枠２０の剛性を高めることができる。しかも、リブ２１ｍ，２１ｋの先端間が板状部２１ｎによって連結されているため、リブ２１ｍ，２１ｋの撓みが抑制されるので、外枠２０の剛性をより一層高めることができる。しかも、右側板２１はアルミニウムにより形成されているため、リサイクルすることができる。
【００２６】
また、内側の板面２１ｑには、リブ２１ｋから前方に間隔を置いて突出部２１ｊが形成されている。突出部２１ｊは、板状に形成されており、内側の板面２１ｑの上端から下端に亘って突出している。図５に示すように、突出部２１ｊの前面２１ｊ１は、パチンコ機１の遊技盤５の右側端５ａの後面５ｄと当接する位置に形成されている。
したがって、右側板２１と遊技盤５の右端との間に隙間が生じることがないため、その隙間から遊技盤５の盤面へワイヤーを挿入して強制的に賞球を払出させる不正行為が起きるおそれがない。
【００２７】
図４に示すように、左側板２２の外側の板面２２ａであってその後部には、溝２２ｈが上下方向に形成されている。この溝２２ｈにより、外側の後端に凸状のリブ２２ｃが上下方向に形成されている。リブ２２ｃは、溝２２ｈの上端２２ｉから下端に亘って形成されている。内側の板面２２ｑであってその後端には、板状のリブ２２ｍが上下方向に形成されており、そのリブ２２ｍから前方に間隔を置いて板状のリブ２２ｋが上下方向に形成されている。リブ２２ｍ，２２ｋは、それぞれ内側の上端２２ｄから下端に亘って形成されている。また、リブ２２ｍ，２２ｋは平行に配置されており、それらの先端間は、板状部２２ｎによって連結されている。リブ２２ｍ，２２ｋおよび板状部２２ｎによって囲まれた部分には、空間２２ｐが形成されている。
【００２８】
上述したように、左側板２２の外側には、リブ２２ｃが上下方向に形成されており、かつ、内側には、リブ２２ｋ，２２ｍが上下方向に形成されているため、外枠２０の剛性を高めることができる。しかも、リブ２２ｍ，２２ｋの先端間が板状部２２ｎによって連結されているため、リブ２２ｍ，２２ｋの撓みが抑制されるので、外枠２０の剛性をより一層高めることができる。しかも、左側板２２はアルミニウムにより形成されているため、リサイクルすることができる。
【００２９】
また、内側の板面２２ｑには、リブ２２ｋから前方に間隔を置いて突出部２２ｊが形成されている。突出部２２ｊは、板状に形成されており、内側の板面２２ｑの上端２２ｄから下端に亘って突出している。図６に示すように、突出部２２ｊの前面２２ｊ１は、パチンコ機１の遊技盤５の左側端５ｂの後面５ｄと当接する位置に形成されている。
したがって、左側板２２と遊技盤５の左端との間に隙間が生じることがないため、その隙間から遊技盤５の盤面へワイヤーを挿入して強制的に賞球を払出させる不正行為が起きるおそれがない。
【００３０】
［第２実施形態］
次に、この発明の第２実施形態について図を参照して説明する。
図７は右側板２１の上部を拡大して示す斜視図であり、図８は左側板２２の上部を拡大して示す斜視図である。
【００３１】
図７に示すように、この実施形態に係る外枠２０を構成する右側板２１は、前述した第１実施形態の右側板２１と比較すると、外側の後部に形成された溝２１ｈに加えて前部に溝２１ｒが上下方向に形成されている点が異なる。この溝２１ｒにより、右側板２１の外側の前端にリブ２１ｓが上下方向に形成されている。このリブ２１ｓにより、外枠２０の前端における剛性が高められている。また、右側板２１の内側の後方に形成されたリブ２１ｋの先端からは、リブ２１ｔが後方へ延びており、このリブ２１ｔにより、外枠２０の後端における剛性が高められている。
【００３２】
図８に示すように、この実施形態に係る外枠２０を構成する左側板２２は、前述した第１実施形態の左側板２２と比較すると、外側の後部に形成された溝２２ｈに加えて前部に溝２２ｒが上下方向に形成されている点が異なる。この溝２２ｒにより、左側板２２の外側の前端にリブ２２ｓが上下方向に形成されている。このリブ２２ｓにより、外枠２０の前端における剛性が高められている。また、左側板２２の内側の後方に形成されたリブ２２ｋの先端からは、リブ２２ｔが後方へ延びており、このリブ２２ｔにより、外枠２０の後端における剛性が高められている。
【００３３】
〈他の実施形態〉
（１）右側板２１に形成された突出部２１ｊの後面２１ｊ２がパチンコ機１の遊技盤５の前面５ｃと当接し、左側板２２に形成された突出部２２ｊの後面２２ｊ２が遊技盤５の前面５ｃと当接するように外枠２０を構成することもできる。
【００３４】
（２）右側板２１および左側板２２を合成樹脂により形成することもできる。また、外枠２０の全体をアルミニウムなどの金属または合成樹脂により形成することもできる。突出部２１ｊ，２２ｊを右側板２１および左側板２２とは別体で形成して取付けることもできる。
【符号の説明】
【００３５】
１・・パチンコ機、５・・遊技盤、５ａ・・右側端、５ｂ・・左側端、５ｃ・・前面、
５ｄ・・後面、２０・・外枠、２１・・右側板（側板）、２１ａ，２１ｑ・・板面、
２１ｃ，２１ｋ，２１ｍ・・リブ、２１ｊ・・突出部、２１ｊ１・・前面、
２１ｊ２・・後面、２２・・左側板（側板）、２２ａ，２２ｑ・・板面、
２２ｃ，２２ｋ，２２ｍ・・リブ、２２ｊ・・突出部、２２ｊ１・・前面、
２２ｊ２・・後面、２３・・天板、２４・・底板、２５・・幕板、
２６，２７・・鍵受け金具、２８・・補強部材、２９・・上蝶番、
３０〜３２・・連結金具、３３・・ビス、３４・・下蝶番。
【図１】
2013042892.tif 000003
【図２】
2013042892.tif 000004
【図３】
2013042892.tif 000005
【図４】
2013042892.tif 000006
【図５】
2013042892.tif 000007
【図６】
2013042892.tif 000008
【図７】
2013042892.tif 000009
【図８】
2013042892.tif 000010
【図９】
2013042892.tif 000011
【図１０】
2013042892.tif 000012
【図１１】
2013042892.tif 000013